(57)【要約】【課題】本発明は、ドレンタンクを引き出してドレンを処理する際に、フロートスイッチの着脱を確実に行うことのできるショーケースを提供することにある。【解決手段】ショーケースケース本体底面の排水口から流れ出るドレンを回収するドレンタンクを備えたショーケースにおいて、前記ドレンタンク内に浸漬し、ドレンの水位を検知する水位検知スイッチと、該水位検知スイッチを上下に移動させるため前方から操作可能な操作部とを備え、前記操作部を上方向に操作すると、操作部の移動に伴って、水位検知スイッチが前記ドレンタンクから離脱するように構成する。【選択図】図２
2010078173.tif 000002
【特許請求の範囲】
【請求項１】
ショーケース本体底面の排水口から流れ出るドレンを回収するドレンタンクを備えたショーケースにおいて、前記ドレンタンク内に浸漬し、ドレンの水位を検知する水位検知スイッチと、該水位検知スイッチを上下に移動させるため前方から操作可能な操作部とを備え、前記操作部を上方向に操作すると、操作部の移動に伴って、水位検知スイッチが前記ドレンタンクから離脱するように構成したことを特徴するショーケース。
【請求項２】
請求項１記載のショーケースにおいて、前記操作部は、前記水位検知スイッチに取付けられている保持部と一体化して設けられ、前記操作部の上下方向の移動を支持する前面支持部を備え、該前面支持部には、操作部が上下方向に移動可能なように長孔を設けたことを特徴とするショーケース。
【請求項３】
請求項１または２に記載のショーケースにおいて、前記操作部の上方向から下方向への移動は、自重で移動するように設けられ、前記水位検知スイッチの所定の検知位置に戻るようにしたことを特徴とするショーケース。
【請求項４】
請求項１ないし３のいずれか１項に記載のショーケースにおいて、前記水位検知スイッチは、保護カバーにて覆われ、該保護カバーと前記保持部とが固定されていることを特徴とするショーケース。
【請求項５】
請求項１ないし４のいずれか１項に記載のショーケースにおいて、ショーケース本体下部にて前面がパネルにて覆われるとともに、前面パネル内部には、コンディンシングユニットと、前記ショーケースケース本体底面の排水口から流れ出るドレンを回収し、オーバーフロー用の排水口と蒸発シートとを備えた一次蒸発皿と、該一次蒸発皿の排水口からオーバーフローしたドレンを回収し、オーバーフロー用の排水口を備えた二次蒸発皿とを備え、該二次蒸発皿の排水口からオーバーフローしたドレンを前記ドレンタンクにて回収することを特徴とするショーケース。
【発明の詳細な説明】
【技術分野】
【０００１】
本発明は、ケース本体の基台内部に可搬式のドレンタンクを内蔵し、ケース本体に生成したドレンをドレンタンクに導いて回収するようにしたショーケースに関する。
【背景技術】
【０００２】
周知のように、冷蔵・冷凍ショーケースは保冷運転に伴って庫内に配した冷却器に霜が発生することから、１日に数回除霜を行って冷却器に付着している霜を溶かし、除霜により生成したドレン水をケース本体から排出して処理するようにしている。
【０００３】
この場合に、ショーケースの基台内部に可搬式のドレンタンクを搭載し、このドレンタンクの上方位置には蒸発皿を設置し、ここにケース本体からのドレンを導き、さらに蒸発皿の上面側には下端を蒸発皿に溜まったドレンに浸漬させて多数枚の蒸発マットが平行に並べて直立姿勢に布設されている。この蒸発マットは吸水性の高い紙，ないし布製のマットであり、直立姿勢に保持するようにしている。蒸発皿にはドレンタンクに向けてオーバーフロー排水口が開口している。
【０００４】
この蒸発皿の上面側で左右平行して並べて直立姿勢に布設した多数枚の蒸発マットに対して、蒸発皿の背後に送風ファンを配備し、ファンから吹き出した風を蒸発マットのマット面に沿って吹き付けるようにしている。
【０００５】
かかる構成で、除霜に伴ってケースに生じたドレンは、蒸発皿に受容されてその底部に溜まるとともに、ドレンの一部は毛細管作用により蒸発マットに吸い上げられ、液面上に露呈しているマット面から蒸発して周囲に放散するとともに、ファンから吹き出した風を蒸発マットのマット面に沿って吹き付けることにより、蒸発マットに吸い上げられたドレンの蒸発が促進、蒸発マットで吸い上げ切れない余剰のドレンはオーバーフロー排水口からドレンタンクの中に流下して回収される。
【０００６】
そして、ドレンタンクが満杯の状態になれば、ショーケースの前方に引き出し、店内の排水設備のある場所まで持ち運んでタンク内のドレンを捨てるようにしている（特許文献１参照）。
【０００７】
このドレンタンクの満杯検知としては、例えば、フロートスイッチをタンク内に設け、このフロートスイッチがオンすることによって警報を出力し、ドレンタンク内のドレンを捨てる時期を報知するようにした構成が知られている（特許文献２（図６）参照）。
【特許文献１】特開平１０−２８１６２７号公報
【特許文献２】特開平９−６８３８０号公報
【発明の開示】
【発明が解決しようとする課題】
【０００８】
ところで、前記フロートスイッチは、ドレンタンク内に設置されており、また、配線も接続されているため、ドレンタンクをショーケースから取り出す際には、取り外さなければならず、作業が面倒であり、また、ドレンの処理後、ドレンタンクをショーケースに収納した際に、フロートスイッチを設置し忘れる可能性があり、作業性が悪いものである。
【０００９】
また、ドレンタンクを前方へ引き出す際、フロートスイッチをドレンタンクから取り外すのを忘れた場合には、フロートスイッチも前方へ引きずられるため配線が引きちぎられることとなり、故障の原因となるなどの問題があった。
【００１０】
そこで、本発明は上記の点に鑑みなされものであり、ドレンタンクを引き出してドレンを処理する際に、フロートスイッチの着脱を確実に行うことのできるショーケースを提供することを目的とする。
【課題を解決するための手段】
【００１１】
上記目的を達成するために、本発明は、ショーケースケース本体底面の排水口から流れ出るドレンを回収するドレンタンクを備えたショーケースにおいて、前記ドレンタンク内に浸漬し、ドレンの水位を検知する水位検知スイッチと、該水位検知スイッチを上下に移動させるため前方から操作可能な操作部とを備え、前記操作部を上方向に操作すると、操作部の移動に伴って、水位検知スイッチが前記ドレンタンクから離脱するように構成する。
【００１２】
また、前記操作部は、前記水位検知スイッチに取付けられている保持部と一体化して設けられ、前記操作部の上下方向の移動を支持する前面支持部を備え、該前面支持部には、操作部が上下方向に移動可能なように長孔を設けたことを特徴とする。
【００１３】
さらに、前記操作部の上方向から下方向への移動は、自重で移動するように設けられ、前記水位検知スイッチの所定の検知位置に戻るようにする。
またさらに、前記水位検知スイッチは、保護カバーにて覆われ、該保護カバーと前記保持部とが固定されていることを特徴とする
【発明の効果】
【００１４】
本発明によれば、ドレンタンク内に浸漬し、ドレンの水位を検知する水位検知スイッチと、該水検知スイッチを上下に移動させるため前方から操作可能な操作部とを備え、前記操作部を上方向に操作すると、操作部の移動に伴って、水位検知スイッチが前記ドレンタンクから離脱するように構成したことにより、スイッチを本体から取り外すことなく上下に移動できる構造にすることによりドレンタンクの引き出し作業が容易になり、排水処理時の操作性が向上する。
【００１５】
しかも、上方向に動かした操作レバーは、手を離すと自重で下方向で移動するため、水位検知スイッチも所定のドレン検知位置に戻るため、排水処理後、ドレンタンクへの水位検知スイッチの取付け忘れを防止できる。
【発明を実施するための最良の形態】
【００１６】
以下に添付図面を参照しながら、本発明に係るショーケースの実施の形態について説明する。
図１は、本発明の実施の形態であるショーケースの概略正面図、図２は、ショーケースの内部構造を側方から見た場合を示す側面図であり、図３は、図２の側面図における要部拡大側面図である。
【００１７】
まず、断面Ｃ形の断熱壁２を有するケース本体１内には、断熱壁２と庫内背面パネル３の間には循環通風路４が形成され、庫内背面パネル３の前面には商品貯蔵室５が区画されている。
【００１８】
この循環通風路４内には、冷却器６及び庫内ファン７が設置され、商品貯蔵室５の前面上部に位置する冷気吹出口８から冷気を吹き出し、前面下部の冷気吸込口９から吸い込むように構成されている。
【００１９】
商品貯蔵室５内には、上下４段の商品陳列棚１０が設置され、商品貯蔵室５の左右側面は、例えば透明なガラス板１１で形成されている。
上下４段の商品陳列棚１０は、商品貯蔵室５を２つの温度帯にて使用可能なように、図１においては、上から２段目の商品陳列棚１０の下面に中間ダクト１２が設けられ、中間ダクト１２の後端に循環通風路４を仕切るためのダンパ１２ａが設けられている。
【００２０】
次に、ケース本体１の断熱壁２の下部には基台１３が設けられており、前面に開放可能なキックプレート１４、基台１３内部には、冷凍機のコンデンシングユニット１５、ケース本体１の底部から基台１３の内部に引出したドレン排水口１６、ドレン排水口１６からのドレンを回収する一次蒸発皿１７、下端を一次蒸発皿１７に溜まったドレンに浸漬させ、平行に並べて直立姿勢に布設されている吸水性の高い多数枚の蒸発シート１７ａ、一次蒸発皿１７の内部に配置されるドレンオーバーフロー用の排水口１７ｂ、多湿時のドレン量増加に対応するため、一次蒸発皿１７の排水口１７ｂからオーバーフローしたドレンを回収する二次蒸発皿１８、下端を二次蒸発皿１８に溜まったドレンに浸漬させ、平行に並べて直立姿勢に布設されている吸水性の高い多数枚の蒸発シート１８ａ、二次蒸発皿１８の内部に配置されるドレンオーバーフロー用の排水口１８ｂ、排水口１８ｂを通して二次蒸発皿１８でも回収できないドレンを回収し、基台１３前方に引き出し可能な取手１９ａを有する可搬式のドレンタンク１９、ドレンタンク１９内に内蔵し、ドレン水位を検知するフロートスイッチ１９ｂが設けられている。
【００２１】
このフロートスイッチ１９aは、図２に示すように、操作レバー２０ａが一体に設けられる操作保持部２０に支持されている。
コンデンシングユニット１５の側方には、上記キックプレート１４の背後で、かつ、コンデンシングユニット１５からの排気が吸込み側に回り込むのを防止するための遮風板２１が設けられている。
【００２２】
この遮風板２１には、上下方向に延びる上長孔２１ａ、下長孔２１ｂが上下方向に間隔を有して設けてあり、上長孔２１ａには、上記操作レバー２０ａが前面から操作可能なように配置され、また、下長孔２１ｂには、操作保持部２０から延びる段付きねじ２０ｂが操作レバー２０ａの操作に連動して上下方向に移動可能なように配置され、この下長孔２１ｂの上下方向の範囲内で操作レバー２０ａの操作範囲、すなわち、フロートスイッチ１９ａが上下動する範囲が規制されている。
【００２３】
このように、遮風板２１を利用して、操作保持部２０を支持するための前面支持部として構成するものである。
なお、図１に示すように、ショーケースを正面から見て操作保持部２０が設けられている遮風板２１と反対側の遮風板２１には警報表示パネル２２が設けてあり、詳細には説明しないが、運転スイッチ、各種警報ランプ、警報ブザーの停止スイッチなどが配置されている。
【００２４】
この構成において、商品貯蔵室５を冷蔵にする場合は、冷却器６及び庫内ファン７を運転し、冷却器６を通過させた庫内空気を循環通風路４を通して冷気吹出口８から吹き出し、冷気吸込口９から吸い込むように循環させ、また、中間ダクト１２を挟んで上下の商品貯蔵室５にて異なる温度帯のショーケースとして使用したい場合は、中間ダクト１２のダンパ１２ａを循環通風路４に突出させて、中間ダクト１２の上下の商品陳列棚１０にて庫内温度を変え、保存温度の異なる商品を陳列する。
【００２５】
次に、ドレンの処理について説明すると、除霜に伴ってケース本体１に生じたドレンは、ドレン排水口１６を通じて一次蒸発皿１７に受容されてその底部に溜まるとともに、ドレンの一部は蒸発シート１７ａに吸い上げられ、液面上に露呈しているシート面から蒸発して周囲に放散する。また、蒸発シート１７ａで吸い上げ切れない余剰のドレンはオーバーフロー用の排水口１７ｂから二次蒸発皿１８に流下して回収される。
【００２６】
この二次蒸発皿１８に溜まったドレン一部は蒸発シート１８ａに吸い上げられ、液面上に露呈しているシート面から蒸発して周囲に放散する。また、蒸発シート１８ａで吸い上げ切れない余剰のドレンはオーバーフロー用の排水口１８ｂからドレンタンク１９に流下して回収される。
【００２７】
ここで、本実施の形態においては、ドレンタンク１９にフロートスイッチ１９ｂが設けられているため、ドレンタンク１９内のドレンの水位が上昇し、フロートスイッチ１９ｂにてドレンタンク１９内のドレンの所定水位を検知すると、図示しない警報ブザーあるいは警報ランプにてドレンタンク１９内にドレンが溜まっていることを外部に報知する。
【００２８】
この報知があると、店員は、以下のとおり、取手１９ａを持ってドレンタンク１９を取り出して、ドレンの排水処理を行うものである。
まず、店員は、キックプレート１４を前方に開放して取り外し、次に、操作レバー２０ａを上長孔２１ａに沿って上方に移動させると、操作レバー２０ａの移動に伴い、下長孔２１ｂ内を上方向に移動する段付きねじ２０ｂが下長孔２１ｂの上限位置まで移動すると、これ以上、操作レバー２０ａは上方へ移動せず、この時点で、フロートスイッチ１９ｂは、ドレンタンク１９とは干渉しない上方域まで上昇しており、ドレンタンク１９から離脱する。
【００２９】
この操作レバー２０ａを上方に移動させたままの状態で、店員はドレンタンク１９の取手１９ａを持って、ドレンタンク１９を基台１３の前方に引き出す。
ドレンタンク１９を引き出した状態で、操作レバー２０ａを離すと、操作レバー２０ａは、上長孔２１ａに沿って、段付きねじ２０ｂは、下長孔２１ｂに沿って、それぞれ下方向に自重で移動し、下長孔２１ｂの下限位置にてフロートスイッチ１９ｂは所定のドレン検知位置に戻る。
【００３０】
次に、引き出したドレンタンク１９内のドレンの排水処理が終わると、再びドレンタンク１９を基台１３内に戻すが、この際に、まず、操作レバー２０ａを上長孔２１ａに沿って上方に移動させると、操作レバー２０ａの移動に伴い、下長孔２１ｂ内を上方向に移動する段付きねじ２０ｂが下長孔２１ｂの上限位置まで移動する。
【００３１】
この下長孔２１ｂの上限位置以上に操作レバー２０ａは上方へ移動せず、この時点で、フロートスイッチ１９ｂは、ドレンタンク１９とは干渉しない上方域まで上昇する。
この操作レバー２０ａを上方に移動させたままの状態で、ドレンタンク１９を前方から所定位置に押し込み、所定位置に押し込んだ状態で、操作レバー２０ａを離すと、操作レバー２０ａは、上長孔２１ａに沿って、段付きねじ２０ｂは、下長孔２１ｂに沿って、それぞれ下方向に自重で移動し、フロートスイッチ１９ｂはドレンタンク１９内の所定のドレン検知位置に戻ることになる。
【００３２】
このように、フロートスイッチ１９ｂをドレンタンク１９から離脱させるための操作レバー２０ａを前面から操作可能に設け、この操作レバー２０ａを操作することで、簡単にフロートスイッチ１９ｂをドレンタンク１９から取り外すことができる。また、操作レバー２０ａを離すことで、操作レバー２０ａは自重で下方向に移動するため、ドレンタンク１９内のドレンを処理し、再度、ドレンタンク１９を基台１３内の所定位置に設置した際に、フロートスイッチ１９ｂの戻し忘れが無くなる。
【００３３】
なお、遮風板２１の操作レバー２０ａ近傍にドレンタンク排水手順を示す銘板を貼ることによって、不慣れな店員でも容易に排水作業が可能となる。
また、図３に示すように、フロートスイッチ１９ｂの支持とともに、フロートスイッチ１９ｂの外周面を保護する断面略コ字形で、かつ、底面側が開放の保護カバー３０を設けてもよい。
【００３４】
この保護カバー３０と操作支持部２０とは、例えば、ねじ止めされて、操作レバー２０ａを操作すると、保護カバー３０とともに、フロートスイッチ１９ｂが上方へ移動するように構成する。
【００３５】
そこで、仮に、操作レバー２０ａを上方に移動させない状態で、ドレンタンク１９を収容しようとした場合にでも、保護カバー３０によりフロートスイッチ１９ｂにドレンタンク１９が直接当たらないように保護するものである。
【００３６】
さらに、図示しないドレン蒸発ファンを設け、二次蒸発皿のドレン量に応じてドレン蒸発ファンをオンオフすることで、ドレンタンク１９内にドレンが回収される前に、出来るだけドレンを蒸発させて、ドレンタンク１９の排水処理作業を低減化するようにしてもよい。
【図面の簡単な説明】
【００３７】
【図１】本発明の実施の形態を示すショーケースの概略正面図である。
【図２】本発明の実施の形態を示すショーケースの概略側面図である。
【図３】図２における要部拡大側面図である。
【符号の説明】
【００３８】
１      ケース本体
１６      ドレン排水口
１７      一次蒸発皿
１７ａ    蒸発シート
１７ｂ    排水口
１８      二次蒸発皿
１８ａ    蒸発シート
１８ｂ    排水口
１９      ドレンタンク
１９ａ    取手
１９ｂ    フロートスイッチ
２０      操作保持部
２０ａ    操作レバー
２１      遮風板
２１ａ    上長孔
２１ｂ    下長孔
３０      保護カバー
【図１】
2010078173.tif 000003
【図２】
2010078173.tif 000004
【図３】
2010078173.tif 000005